(57)【要約】【課題】容器体に対する縦型ポンプの取り外しを防止する保護キャップの形状が簡単でコストダウンを図ることができ、さらには治具を必要とせず、特定の人のみ保護キャップを動かし装着用のキャップを露出させるようにする。【解決手段】容器体１と、この容器体１の上端口部２の外側に装着用のキャップ５が螺合されて取り付けられるポンプ３と、装着用のキャップ５を覆う可撓性の保護キャップ１２とからなり、保護キャップ１２はポンプ３の筒部８が貫通する孔部１３が上端中央に形成され、保護キャップ１２の下端面には周方向に２等分する位置で小さな目印用凹部１４が２箇所形成されるとともに、この２箇所の目印用凹部１４の間の位置で装着用のキャップ５の下端面に係止する爪片１５が形成されており、さらに保護キャップ１２の内面には目印用凹部１４と爪片１５との間の位置で装着用のキャップ５の外面に当接する縦方向のリブ１６が形成されている。【選択図】図４
2008189358.tif 000002
【特許請求の範囲】
【請求項１】
容器体と、この容器体の上端口部の外側に螺合される装着用のキャップ、この装着用のキャップから筒部を介して上方に突出する押し下げヘッド、この押し下げヘッドの押し下げ操作により液体を吐出させるノズルを備えたポンプと、前記装着用のキャップを覆う可撓性の保護キャップとからなり、前記保護キャップは前記装着用のキャップの上面および周面を覆い前記筒部が貫通する孔部が上端中央に形成され、この保護キャップの下端面には周方向に２等分する位置で小さな目印部が２箇所形成されるとともに、この２箇所の目印部の間の位置で前記装着用のキャップの下端面に係止する爪片が形成されており、さらに保護キャップの内面には前記目印部と爪片との間の位置で前記装着用のキャップの外面に当接する縦方向のリブが形成されていることを特徴とする液体吐出容器。
【発明の詳細な説明】
【技術分野】
【０００１】
本発明は、いたずらなどによる容器体からのポンプの取り外しを防止するようにした液体吐出容器に関するものである。
【背景技術】
【０００２】
従来から知られている液体吐出容器としては例えば、容器体の上端口部の外側に螺合される装着用のキャップと、このキャップから上方に突出する押し下げヘッドと、この押し下げヘッドから側方に突出するノズルなどからなるポンプが取り付けられている。このように容器体の上端口部に対するポンプの取り付けはキャップを容器体の上端口部に螺合させるという簡単な方法で行なわれており、子供がキャップを外し、容器体内部の液体を誤って飲むという恐れがあった。また、容器体から簡単にキャップが外れるようになっているので、異物を混入されるという恐れもあった。
【０００３】
そこで、このような問題を解決するために特許文献１に開示されているような縦型ポンプ式容器が知られている。この特許文献１に開示されている縦型ポンプ式容器は容器体に対する縦型ポンプの着脱を防止するために、容器体に対する縦型ポンプの着脱を、該ポンプに付設されて容器体口顎部外面へ嵌合する装着筒の着脱で行うよう設けた縦型ポンプ式容器において、容器体胴部の上部を内向きフランジ状壁を介して小外径部に形成し、該小外径部上端から肩部を介して口頸部を起立し、上記内向きフランジ状壁の外周部へ載置した第１周壁上端から内向きフランジを介して上記装着筒とほぼ同一高さの第２周壁を起立すると共に、内向きフランジ下面から係合筒を垂設して、該筒下端部を上記小外径部外面へ凹凸の係合手段を介して嵌合させたカバー筒を設け、上記係合筒の後壁には、該筒下端に開口する２つの割溝を縦設して、両割溝間の筒部分を弾性片に形成し、また該弾性片上端よりも前方内向きフランジ部分には治具挿入用の透孔を穿設してなるものである。
【特許文献１】特開２００１−２４０１０８号公報
【発明の開示】
【発明が解決しようとする課題】
【０００４】
上記の特許文献１に記載のものでは、容器体口顎部外面へ嵌合する装着筒を覆うカバー筒を容器体に取り付けるために、容器体胴部の上部を内向きフランジ状壁を介して小外径部に形成し、該小外径部上端から肩部を介して口頸部を起立させるという複雑な形状に容器体を形成しなければならないとともに、前記装着筒の部分から容器体の上端を覆うカバー筒も容器体に係止させるために複雑な形状に形成しなければならず、製造のためのコストが高くなるという問題があり、また容器体からカバー筒を外すために別途治具を用意して保管する必要があり、その分コストアップになるという問題や治具の保管場所を忘れたり治具を紛失するという問題があった。
【０００５】
本発明の目的は、このような課題を解決するものであり、容器体に対する縦型ポンプの取り外しを防止する保護キャップ取り付けのために容器体自体を特に形状変更する必要がなく、既存の形状の容器体を使用することが可能であり、また保護キャップの形状も簡単でコストダウンを図ることができ、さらには装着用のキャップを露出させるために保護キャップを動かすための治具を必要とせず、治具を使用せずに特定の人のみ保護キャップを動かし装着用のキャップを露出させるようにすることにある。
【課題を解決するための手段】
【０００６】
本発明の請求項１に記載の液体吐出容器は、容器体と、この容器体の上端口部の外側に螺合される装着用のキャップ、この装着用のキャップから筒部を介して上方に突出する押し下げヘッド、この押し下げヘッドの押し下げ操作により液体を吐出させるノズルを備えたポンプと、前記装着用のキャップを覆う可撓性の保護キャップとからなり、前記保護キャップは前記装着用のキャップの上面および周面を覆い前記筒部が貫通する孔部が上端中央に形成され、この保護キャップの下端面には周方向に２等分する位置で小さな目印部が２箇所形成されるとともに、この２箇所の目印部の間の位置で前記装着用のキャップの下端面に係止する爪片が形成されており、さらに保護キャップの内面には前記目印部と爪片との間の位置で前記装着用のキャップの外面に当接する縦方向のリブが形成されていることを特徴とする。
【発明の効果】
【０００７】
以上のように、本発明の液体吐出容器は、容器体に対する縦型ポンプの取り外しを防止する保護キャップ取り付けのために容器体自体を特に形状変更する必要がなく、既存の形状の容器体を使用することが可能であり、また保護キャップの形状も簡単でコストダウンを図ることができる。特に、保護キャップを動かして装着用のキャップを露出させるための治具を必要とせず、治具を使用せずに特定の人のみ保護キャップの目印部を摘んで保護キャップを変形させることにより保護キャップを装着用のキャップから持ち上げ、露出した装着用のキャップを摘んで回すことによりポンプを容器体から外すことができるようにした液体吐出容器を提供することができる。
【発明を実施するための最良の形態】
【０００８】
以下、本発明の一実施の形態を、図１〜図１０を用いて具体的に説明する。
図において、１は上端の口部２にポンプ３が取り付けられる容器体で、この容器体１の内部には液状洗剤などの液体が入れられる。前記ポンプ３は容器体１の上端口部２の外周に形成された雄ねじ部４に螺合される装着用のキャップ５と、このキャップ５から上方に突出する押し下げヘッド６と、この押し下げヘッド６から側方に突出するノズル７などから構成される。さらに詳しくは、ポンプ３は押し下げヘッド６の下側にキャップ５の中央から上方に突出する筒部８に上から圧入する下向きの筒部９を備え、筒部９を前記筒部８に圧入させた状態において筒部８の上端を覆うように押し下げヘッド６に筒部９の外側に形成された筒部１０の下端と筒部８の外周面との段部１１が形成されている。なお、ポンプ３は押し下げヘッド６を押すことにより容器体１内部の液体を吸い上げてノズル７から吐出させる構成であって、その内部機構は周知のものであるので詳細説明は省略する。また、前記容器体１およびポンプ３の材料はポンプ３に内蔵されるばね（図示せず）などの１部の材料を除いて合成樹脂を材料として作られている。
【０００９】
次に、１２は前記装着用のキャップ５に上から被さり装着用のキャップ５を外側から覆う合成樹脂製の可撓性を有する保護キャップで、この保護キャップ１２は前記装着用のキャップ５の上面および周面を覆い前記筒部８が貫通する孔部１３が上端中央に形成され、この保護キャップ１２の下端面には周方向に２等分する位置で小さな目印用凹部１４が２箇所形成されるとともに、この２箇所の目印用凹部１４の間を２等分する位置で前記装着用のキャップ５の下端面に係止する爪片１５が２箇所形成されており、さらに保護キャップ１２の内面には前記目印用凹部１４と爪片１５との間を２等分する位置で前記装着用のキャップ５の外面に当接する縦方向のリブ１６が４箇所形成されている。すなわち、保護キャップ１２はリブ１６の位置で装着用のキャップ５の外面に当接していることにより、リブ１６の存在しない箇所では保護キャップ１２の内面と装着用のキャップ５の外面との間で間隙が形成されている。なお、前記孔部１３の内径は前記筒部８の外径よりも僅かに大きく、且つ前記筒部１０の外径よりも小さく形成されている。
【００１０】
上記構成において、保護キャップ１２を装着用のキャップ５の上面および周面を覆うように取り付けるには、容器体１の上端口部２の雄ねじ部４に螺合された装着用のキャップ５から上方に突出する筒部８に筒部９を圧入させる前に、装着用のキャップ５に保護キャップ１２を被せて前記爪片１５を装着用のキャップ５の下端面に係止させ、かかる状態で筒部８に筒部９を圧入させてポンプ３を組み立てる。
【００１１】
図３および図４に装着用のキャップ５に保護キャップ１２を被せられた液体吐出容器を示し、この液体吐出容器の容器体１からポンプ３を外そうとしても装着用のキャップ５が保護キャップ１２で覆われた状態では装着用のキャップ５を回して弛めることができず、ポンプ３を外すことは不可能である。そして、容器体１からポンプ３の外し方を知っている特定の人が容器体１の中に液体を補充するために容器体１からポンプ３を外す場合は、前記保護キャップ１２の対向する２箇所の目印用凹部１４の位置で保護キャップ１２下端を装着用のキャップ５の外面側に押し当てるように摘むことにより、前記爪片１５が形成されている位置で保護キャップ１２の下端が膨らんで爪片１５が装着用のキャップ５の下端面から外れ、保護キャップ１２を装着用のキャップ５から持ち上げることができる。装着用のキャップ５から持ち上げられた保護キャップ１２は上端が前記段部１１に当接し、かかる状態で装着用のキャップ５のほぼ下半分が露出するように作られており、この露出した装着用のキャップ５を摘んで回すことによりポンプ３を容器体１から外すことができる。
【００１２】
なお、図面に示す実施の形態では装着用のキャップ５から持ち上げられた保護キャップ１２が前記段部１１に当接するように作られているが、押し下げヘッド６と装着用のキャップ５との間の筒部がストレートな状態のポンプにも保護キャップ１２を備えることが可能である。また、前記保護キャップ１２を装着用のキャップ５から持ち上げる際に保護キャップ１２を変形させるべく摘む位置を印すために保護キャップ１２の下端面に目印用凹部１４が形成されているが、目印となる小さな印しなどを設けておくようにしても良い。さらに、図面に示す実施の形態ではポンプ３は押し下げヘッド６から側方に突出するノズル７を備えているが、押し下げヘッド６の下側より突出するノズル７を備えていても良い。
【図面の簡単な説明】
【００１３】
【図１】本発明の一実施の形態において容器体にポンプを装着する前の状態を示す正面図である。
【図２】同容器体にポンプを装着する途中の状態を示す正面図である。
【図３】同容器体にポンプおよび保護キャップを装着した状態を示す正面図である。
【図４】同容器体にポンプおよび保護キャップを装着した状態を示す断面図である。
【図５】同保護キャップの上方から見た斜視図である。
【図６】同保護キャップの下方から見た斜視図である。
【図７】同保護キャップの裏面図である。
【図８】同容器体に装着されたポンプの装着用のキャップに対し保護キャップを摘んで変形させた状態を示す断面図である。
【図９】同容器体に装着されたポンプの装着用のキャップに対し保護キャップを摘んで変形させた状態を下側から見た下面図である。
【図１０】同保護キャップを変形させた状態で持ち上げた状態を示す断面図である。
【符号の説明】
【００１４】
１    容器体
２    口部
３    ポンプ
４    雄ねじ部
５    装着用のキャップ
６    押し下げヘッド
７    ノズル
８    筒部
９    筒部
１０    筒部
１１    段部
１２    保護キャップ
１３    孔部
１４    目印用凹部
１５    爪片
１６    リブ
【図１】
2008189358.tif 000003
【図２】
2008189358.tif 000004
【図３】
2008189358.tif 000005
【図４】
2008189358.tif 000006
【図５】
2008189358.tif 000007
【図６】
2008189358.tif 000008
【図７】
2008189358.tif 000009
【図８】
2008189358.tif 000010
【図９】
2008189358.tif 000011
【図１０】
2008189358.tif 000012